(57)【要約】【課題】意匠的に独創的で、アイキャッチ効果に優れたスタンディングパウチとその製造方法を提供する。【解決手段】重ね合わせた表フィルム１ａと裏フィルム１ｂの底部に、底テープ２を２つ折りして折部３を上にして差し込み、サイドシール部４と底シール部５を設け、底テープを差し込んだ部分のサイドシール部で、底テープに設けた貫通孔６により表フィルムと裏フィルムが直接シールされた部分が設けられたスタンディングパウチであって、底テープを差し込んだ部分で、上部より下部に向かって幅が狭くなっている。【選択図】図１
2014213888.tif 000002
【特許請求の範囲】
【請求項１】
重ね合わせた表フィルムと裏フィルムの底部に、底テープを２つ折りして折部を上にして差し込み、サイドシール部と底シール部を設け、前記底テープを差し込んだ部分のサイドシール部で、前記底テープに設けた貫通孔により前記表フィルムと前記裏フィルムが直接シールされた部分が設けられたスタンディングパウチであって、
前記底テープを差し込んだ部分で、上部より下部に向かって横幅が狭くなっていることを特徴とするスタンディングパウチ。
【請求項２】
前記底テープを差し込んだ部分で、前記底シール部の内縁が下に凸の湾曲状になっていることを特徴とする請求項１に記載のスタンディングパウチ。
【請求項３】
請求項１または２に記載のスタンディングパウチの製造方法であって、前記２つ折りした底テープに、長方形の左右に外側が凸の半円形を設けた形状の前記貫通孔を設け、該底テープを前記表フィルムと前記裏フィルムの間に差し込み、前記サイドシール部と前記底シール部をシールすることを特徴とするスタンディングパウチの製造方法。
【発明の詳細な説明】
【技術分野】
【０００１】
本発明は、スタンディングパウチとその製造方法に関するものである。特に、底部の形状に特徴のあるスタンディングパウチとその製造方法に関するものである。
【背景技術】
【０００２】
スタンディングパウチは、立たせた状態で展示することができることからアイキャッチ性に優れていることや、小さいサイズで容量を大きく取れることから古くから使用されている。
【０００３】
このような、スタンディングパウチとして、内面に熱接着樹脂層を有する複合フィルムからなる２枚の胴部材を重ね合わせ、その底部に２つ折りした底部材を差し込み、その前辺部、後辺部をそれぞれ胴部材に横シールで接合し、胴部材、及び、底部材の両側を一体に立てシールで接合した展示効果の優れた袋がある（特許文献１）。
【０００４】
また、最近では詰め替え用の容器として用いられることから、天シール部を変形させて注出口を設け、注ぎやすくしたスタンディングパウチがある（例えば、特許文献２）。
【０００５】
また、本体袋に区分けシール部を介して別添袋を設けたスタンディングパウチであって、本体袋のサイドシール部を内側方向に湾曲させたスタンディングパウチもある（特許文献３）。
【０００６】
上記のように長方形でなく異型のスタンディングパウチがあるが、これらのほとんどは、天シール部やサイドシール部を異型にしたものであった。和風の食品、惣菜、スウィーツなどにスタンディングパウチを用いる場合は、意匠的にはあまり向いているとはいえない。
【０００７】
例えば、内容物に合わせてお椀をイメージした形状にしたものはなかった。このような、形状にすることによって、内容物に合った、意匠的に独創的で、アイキャッチ効果に優れたスタンディングパウチが求められていた。
【０００８】
公知文献を以下に示す。
【先行技術文献】
【特許文献】
【０００９】
【特許文献１】実開平６０−９０１４３号公報
【特許文献２】特開２０１１−４６４２８号公報
【特許文献３】特開２０１０−２３５１４９号公報
【発明の概要】
【発明が解決しようとする課題】
【００１０】
本発明は上記した事情に鑑みてなされたもので、意匠的に独創的で、アイキャッチ効果に優れたスタンディングパウチとその製造方法を提供することを課題としている。
【課題を解決するための手段】
【００１１】
本発明の請求項１に係る発明は、重ね合わせた表フィルムと裏フィルムの底部に、底テープを２つ折りして折部を上にして差し込み、サイドシール部と底シール部を設け、前記底テープを差し込んだ部分のサイドシール部で、前記底テープに設けた貫通孔により前記表フィルムと前記裏フィルムが直接シールされた部分が設けられたスタンディングパウチであって、前記底テープを差し込んだ部分で、上部より下部に向かって横幅が狭くなっていることを特徴とするスタンディングパウチである。
【００１２】
本発明の請求項２に係る発明は、前記底テープを差し込んだ部分で、前記底シール部の内縁が下に凸の湾曲状になっていることを特徴とする請求項１に記載のスタンディングパウチである。
【００１３】
本発明の請求項３に係る発明は、請求項１または２に記載のスタンディングパウチの製造方法であって、前記２つ折りした底テープに、長方形の左右に外側が凸の半円形を設けた形状の前記貫通孔を設け、該底テープを前記表フィルムと前記裏フィルムの間に差し込み、前記サイドシール部と前記底シール部をシールすることを特徴とするスタンディングパウチの製造方法である。
【発明の効果】
【００１４】
本発明のスタンディングパウチは、底部の形状を下に向かって細く絞られた形状をしているので、意匠的に独創的で、アイキャッチ効果に優れている。また、底部がお椀のような形状になっているので、和風の食品、惣菜、スウィーツなどの包装に適している。また、本発明のスタンディングパウチの製造方法によれば容易に製造することができる。
【図面の簡単な説明】
【００１５】
【図１】本発明のスタンディングパウチの一例を模式的に正面で示した説明図である。
【図２】本発明のスタンディングパウチの一例の底テープを説明する概念図である。
【図３】本発明のスタンディングパウチの一例の製造方法の一部を説明する概念図である。
【発明を実施するための形態】
【００１６】
以下、本発明を実施するための形態について説明する。
図１は、本発明の包装袋の一例を模式的に正面で示した説明図である。
【００１７】
本例のスタンディングパウチ１００は、図１の正面図に示すように、重ね合わせた表フィルム１ａと裏フィルム１ｂの底部に、底テープ２を２つ折りして折部３を上にして差し込み、サイドシール部４、４と底シール部５が設けられている。
【００１８】
底テープ２を差し込んだ部分のサイドシール部４、４で、底テープ２に設けた貫通孔６により表フィルム１ａと裏フィルム１ｂが直接シールされている。
【００１９】
この底テープ２を差し込んだ部分では、スタンディングパウチ１００の横幅が上部より下部に向かって狭くなっている。そして、この底テープ２を差し込んだ部分で底シール部５の内縁が下に凸の湾曲状になっている。
【００２０】
このように本発明のスタンディングパウチは、底部の形状が下に向かって細く絞られ、意匠的に独創的で、アイキャッチ効果に優れている。また、底部がお椀のような形状になっているので、和風の食品、惣菜、スウィーツなどの包装に適している。
【００２１】
表裏のフィルム１ａ、１ｂや底テープ２は、外側の基材層と内側のシーラント層の積層フィルムからなっている。また、基材層とシーラント層の間にバリア層を設けることもできる。また、中間層を設けることもできる。
【００２２】
基材層としては、ポリエチレンテレフタレート（ＰＥＴ）、ポリエチレンナフタレ−ト（ＰＥＮ）、ポリブチレンテレフタレート（ＰＢＴ）などのポリエステル、ポリエチレン（ＰＥ）、ポリプロピレン（ＰＰ）、ポリスチレン（ＰＳ）などのポリオレフィン、ナイロン−６、ナイロン−６６などのポリアミド（ＰＡ）、ポリカーボネート（ＰＣ）、ポリアクリロニトリル（ＰＡＮ）、ポリイミド（ＰＩ）、ポリ塩化ビニル（ＰＶＣ）、ポリ塩化ビニリデン（ＰＶＤＣ）、ポリビニルアルコール（ＰＶＡ）、エチレン−ビニルアルコール共重合体（ＥＶＯＨ）、ポリエーテルスルフォン（ＰＥＳ）、ポリメチルメタクリレート（ＰＭＭＡ）などの延伸あるいは無延伸のフィルムを使用することができる。
【００２３】
シーラント層には、低密度ポリエチレン樹脂（ＬＤＰＥ）、中密度ポリエチレン樹脂（ＭＤＰＥ）、高密度ポリエチレン樹脂（ＨＤＰＥ）、直鎖状低密度ポリエチレン樹脂（ＬＬＤＰＥ）、ポリプロピレン樹脂（ＰＰ）、エチレン−プロピレン共重合体（ＥＰ）、エチレン−αオレフィン共重合体、エチレン−アクリル酸共重合体（ＥＡＡ）、エチレン−メタクリル酸共重合体（ＥＭＡＡ）、エチレン−メタクリル酸エステル共重合体、エチレン−アクリル酸エステル共重合体、アイオノマー樹脂、エチレン−酢酸ビニル共重合体（ＥＶＡ）などの樹脂、またはこれらの樹脂を成膜化したフィルムを使用することができる。
【００２４】
特に、直鎖状低密度ポリエチレン樹脂（ＬＬＤＰＥ）が好ましく使用することができる。また、シーラント層の厚みは、強度、加工性を考慮すると、１５〜２００μｍの範囲内であることが好ましく、３０〜１７０μｍの範囲内がより好ましい。
【００２５】
バリア層には、アルミニウム箔などの金属箔や、アルミニウムなどの金属蒸着層、あるいは、酸化アルミニウム、酸化珪素、酸化錫、酸化マグネシウム、などの無機酸化物蒸着層を設けることができる。
【００２６】
中間層には、基材層として挙げた延伸あるいは無延伸のフィルムの中から選択して使用することができる。これらの層を積層する方法としては、特に限定されない。通常用いられる、ドライラミネーションや押出しラミネーション（サンドイッチラミネーションを含む）により積層することができる。
【００２７】
また、印刷層をおもて面にあるいは前述の層と層の間に設けることができる。印刷方式も特に限定されることはなく、グラビア印刷やフレキソ印刷、あるいは、シルク印刷やインキジェット印刷などで行うことができる。
【００２８】
次に、本発明のスタンディングパウチの製造方法について説明する。
図２は、本発明のスタンディングパウチの一例の底テープを説明する概念図である。
図３は、本発明のスタンディングパウチの一例の製造方法の一部を説明する概念図である。
【００２９】
表裏のフィルム用の積層フィルムを製袋機上で２つにスリットし、表フィルム１ａと裏フィルム１ｂにして、シーラント層面を対向させる。
【００３０】
底テープ２は、図２のように、２つ折りして、貫通孔６を設ける。貫通孔６は、長方形の左右に外側が凸の半円形状を設けた形状として、前後２つのスタンディングパウチ１００に渡って設けられるようにする。点線は、スタンディングパウチ１００の底部の外形線と底シール部５の内縁を示す割付を表している。
【００３１】
この貫通孔６を設けた底テープ２を、シーラント層面を対向させた表フィルム１ａと裏フィルム１ｂの間に、図３のように差し込む。そして、サイドシール部４をサイドシール
バー７、７でシールし、底部のシール部の内縁が下に凸の湾曲状になっている底シール部５と余白部分を含めた部分を異型シールバー８でシールする。これにより、貫通孔６を設けた部分で、表フィルム１ａと裏フィルム１ｂが直接シールされる。
【００３２】
最後に、底テープ２を差し込んだ部分で上部より下部に向かって幅が狭くなっているスタンディングパウチ１００の外形に、断裁や抜き加工によって成形して、スタンディングパウチ１００を製造する。
【００３３】
このように、底部の形状が下に向かって細く絞られ、意匠的に独創的で、アイキャッチ効果に優れている本発明のスタンディングパウチを容易に製造することができる。また、製造された本発明のスタンディングパウチは、底部がお椀のような形状になっているので、和風の食品、惣菜、スウィーツなどの包装に適している。
【符号の説明】
【００３４】
１００・・・スタンディングパウチ
１ａ・・・表フィルム
１ｂ・・・裏フィルム
２・・・底テープ
３・・・折部
４・・・サイドシール部
５・・・底シール部
６・・・貫通孔
【図１】
2014213888.tif 000003
【図２】
2014213888.tif 000004
【図３】
2014213888.tif 000005